(57)【要約】      （修正有）【課題】寒気による被害が起こらず、１月でも熟成したスイカが栽培出来る果実熟成装置の提供。【解決手段】育苗装置は、組立式基礎Ｆの上部に断熱材挿入の組立式Ｕ字型育苗床Ｒが組み立てられる。組立式Ｕ字型育苗床Ｒの底面にカーボン面発熱体Ｈが１〜２組が敷設される。そのカーボン面発熱体Ｈの上面を絶縁防水ビニールｂで覆った後、５ｃｍ厚の山砂Ｓを敷込み、更にその上面を絶縁防水ビニールｃで覆う。組立式基礎Ｆの側面にＥの電源ＢＯＸと高電位発生装置Ｔとが具備され、それぞれカーボン面発熱体Ｈに通電して遠赤外線電磁波熱と負電荷による電位を暴露させ育種、育苗させる。【選択図】図４
0003120002.tif 000002
【実用新案登録請求の範囲】
【請求項１】
冬季育成の果実、特にスイカ・メロンにおいて、これら果実を底面から照射するカーボン系発熱体は果実受皿内に内設し、該カーボン系発熱体に栽培期間中通電して放射する１０μの遠赤外線電磁波熱が果実に浸透し、成長期の小玉スイカが外気温度低下に伴う亀裂も防止し、更に、太陽光線の一部遠赤外線の放射で果実が冬季間においても熟成作用をもたらすことを特徴とする果実熟成装置。
【請求項２】
前記請求項１の果実受皿以外の簡易式受皿として、柔軟性のあるカーボン系発熱体を果実大に形成して連結式コードで配線し、更に、該カーボン系発熱体の周囲全面を防水絶縁樹脂外皮で密閉してなる簡易式を特徴とする果実熟成装置。
【請求項３】
冬季果実の苗を採取する手段として、ビニールハウス内の土中に育苗床として、幅１．０ｍ〜２．０ｍ長さ５．０ｍ〜１０．０ｍ寸法の溝を深さ２０ｃｍ〜５０ｃｍで設け、周囲を絶縁性断熱材で覆った後、絶縁防水ビニールで周囲を保護し、絶縁性の高い外皮のカーボン系発熱体を敷設し、更にその上面に５ｃｍ程度厚の山砂を敷設し、最後に前記絶縁防水ビニールで覆ってなる土中式育苗床に小トンネルビニールを設け、前記カーボン系発熱体に通電させる構成の育苗装置。
【請求項４】
冬季果実の苗を採取する手段として、ビニールハウス内に幅１．２ｍ〜２．２ｍ長さ５．０ｍ〜１０．０ｍ寸法の組立式基礎構造を設置し、その上部に幅１．０ｍ〜２．０ｍ深さ２０ｃｍ〜５０ｃｍ大の組立式Ｕ字型構造で、発泡断熱材を内設した樹脂製育苗床を連結接続式に配置し、該樹脂製育苗床内底面にカーボン系発熱体を敷設し、上部にビニールシートを介在させた後、更に、山砂を５ｃｍ厚に敷設し上部をビニールシートで覆い、最後に小トンネルビニールで保護した構成の設備に、前記カーボン系発熱体に電流と、負電荷による電圧とをコントローラーで制御し、苗を加熱と電位を印加して育成してなることを特徴とする育苗装置。
【考案の詳細な説明】
【技術分野】
【０００１】  本考案は、冬季間植物種子の育苗にカーボン系発熱体を採用し、通電することによる遠赤外線電磁波熱を適応させ、スイカ、メロン等の果実の保温、又は果実の受皿にカーボン系発熱体を内設し、通電し放射する遠赤外線電磁波熱は冬季間の太陽光線に代わり果実の熟成を促す。更にカーボン系発熱体を育種用又は育苗用保温装置に適応することに関する。
【背景技術】
【０００２】  従来から１０月から翌年３月迄の冬季間太陽光線に代わるものには蛍光灯、ＬＥＤはあるが経済的、効果的に問題があり、ビニールハウスには省エネ構造での代替方法は見当たらない。更に、育苗装置で負電荷による電圧と遠赤外線電磁波熱を交互に制御して育苗する装置は未だ見ることはない。【０００３】  通常冬季間におけるビニールハウス内の太陽光線の日照時間は短く果実は熟さない。
果実で一番早いのは九州熊本のスイカが３月末ごろ出荷されるが糖度が少なく実も熟してない。本考案は日本で一番早く出荷される熊本のスイカを糖度と成熟のあるスイカにすることを目的として考案した。更に、このスイカの苗をカーボン面発熱体の電磁波熱の応用で均一で丈夫な苗を作る事も目的としている。
【考案の開示】
【考案が解決しょうとする課題】
【０００４】  本考案は、冬季ビニールハウス内での栽培は日照時間が少ないため、果実が熟成しなく冬季に果実の栽培をすることは断念していた。又、蛍光灯での冬季栽培も実質的に効果はない。本考案の効果は、従来開発されたものにはなく、考案者も実際にカーボン面発熱体を冬季スイカの下面に敷設し、通電させて１０μの遠赤外線熱を放射させ栽培した結果、冬季１月１５日に真っ赤に成熟したスイカを栽培して判明した。糖度も１４度であった。このカーボン面発熱体からの遠赤外線電磁波熱は目に見えない光りの熱であるが、人間の身体に放射すると皮膚下５ｃｍ浸透する事も判明している。更に、果実の浸透率は高いことは実験上判明している。そこで、本考案のカーボン面発熱体を冬季北海道の夕張メロンに適応することも課題の一つである。
【課題を解決するための手段】
【０００５】  本考案は、成長期のスイカの大きさの受皿に内設できる寸法のカーボン面発熱体を採用し、外気温度を除いた実質温度を２０℃〜３０℃にするようにコントローラーで制御できる構造にする。この構造であれば、成長期の小玉スイカは外気温度で亀裂することはなく更に、１０μの遠赤外線波長の放射と、２０℃〜３０℃の夏場の温度に匹敵する電磁波熱が照射されるため、当然熟成する。省エネ構造であるカーボン面発熱体はニクロム線に比べ熱変換効率が高く、電気料金も安いが問題は本考案の果実受皿装置のイニシャルコストとスイカの熟成価格との対比にもよる。
次に、本考案の育苗装置にカーボン面発熱体を使用する特徴は大きい。常識的にニクロム線又は温水管を平面的に応用する場合、蛇行配線させるため表面温度は均一ではない。それに比べカーボン面発熱体に通電すると、面に均一な電磁波熱を放射するため、当然丈夫で均一な苗ができる。更に、カーボン面発熱体を伝導体にして負電荷による電圧を印加することで、育種効果とイオン作用、微振動等の育苗効果が期待される。
【０００６】    請求項１の考案は、冬季育成の果実、特にスイカ・メロンにおいて、果実を底面から照射するカーボン系発熱体は果実受皿内に内設し、該カーボン系発熱体に栽培期間中通電して放射する１０μの遠赤外線電磁波熱が果実に浸透し、成長期の小玉スイカが外気温度低下に伴う亀裂も防止し、更に、太陽光線の一部遠赤外線の放射で果実が冬季間においても熟成作用をもたらすことを特徴とする果実熟成装置である。
請求項２の考案は、前記請求項１の果実受皿以外の簡易式受皿として、柔軟性のあるカーボン系発熱体を果実大に形成して連結式コードで配線し、更に、該カーボン系発熱体の周囲全面を防水絶縁樹脂外皮で密閉してなる簡易式を特徴とする果実熟成装置である。
【０００７】冬季果実の苗を採取する手段として、ビニールハウス内の土中に前記請求項３の考案の如く育苗規格大寸法の溝を深さ２０ｃｍ〜５０ｃｍで設け、溝の周囲を絶縁性断熱材で覆った後、絶縁防水ビニールで周囲を保護し、絶縁性の高い外皮のカーボン系発熱体を敷設し、更にその上面に５ｃｍ程度厚の山砂を敷設し、最後に絶縁防水ビニールを覆ってなる土中式育苗床に小トンネルビニールを設け、前記カーボン系発熱体に通電させる構成の育苗装置。
【０００８】  請求項４の考案は、冬季果実の苗を採取する手段として、ビニールハウス内に育苗規格大寸法の組立式基礎構造を設置し、その上部に組立式Ｕ字型構造の樹脂製育苗床を連結配置し、該樹脂製育苗床内に断熱材とカーボン系発熱体をビニールシートを介在させながら敷設した後、更に、山砂を５ｃｍ厚に敷設し上部をビニールシートで覆い、最後に小トンネルビニールで保護した構成の設備に、前記カーボン系発熱体に電流と、負電荷による電圧をコントローラーで制御し苗を熱と電位で育成してなることを特徴とする育苗装置。
【考案の効果】
【０００９】  スイカの栽培は通常１本の茎の延長上に１ケの実を選定して実らせる。直径１０〜１５ｃｍ大に育てた時に、突然±０℃の外気温度が発生したら全滅的にスイカは割れる。
このような場合、本考案の果実熟成装置があれば寒気による被害は起こらない。更に、本装置であれば例えば１月でも熟成したスイカが栽培できる
本考案のカーボン面発熱体応用の育苗装置で作った苗は、面均一な遠赤外線電磁波熱又は、面均一な負電荷による電圧で、茎が丈夫で大きさも一定な苗が出来る。
【考案を実施するための最良の形態】
【００１０】  スイカは人工交配で実をつける。植える間隔は８０ｃｍ〜１００ｃｍであるため熟成装置のピッチも１１０ｃｍ〜１２０ｃｍで配線固定し、スイカの計画生産分の熟成装置を連結配線する。本考案の育苗装置は、組立式基礎構造方式が電位と温熱の相乗作用が適応出来る。更に、作業性もよい。
【実施例１】
【００１１】  本考案の熟成装置を、例えば、図１は実施例の断面図であって、図２は平面図である。この熟成装置は受皿Ａー１からＡーｘ迄１本のコードで連結されている。受皿Ａー１は構造的には湾曲型で中央部Ａにはカーボン系発熱体Ｈが内設され、電源ＢＯＸからコードＣによって通電されている。湾曲先端部ａは薄い樹脂で自在性を持ち、局部的に広がるように４ａ〜５ａに区分されている。湾曲表面にはクッション材として樹脂発泡材Ｄが被着されスイカが割れないよう保護される。湾曲底面に３本〜４本の支持脚Ｂが具備され土中に差し込み固定される。本考案は中心部に内設したカーボン面発熱体Ｈから放射する遠赤外線電磁波熱が、浸透性がよくスイカの深部まで照射され熟成させる効果をもつ。
次に本考案の図３による育苗装置は、従来全国の果実栽培農家又は育苗センターでニクロム線又はパイプヒーターを熱源とした埋込式装置が使用されている。然し、この熱源での育成は熱斑があるため苗も疎らで均一性に欠ける。この問題を解決した本考案の育苗装置にはカーボン面発熱体Ｈが敷設されている。このカーボン面発熱体Ｈの下面と側面は断熱材として発泡ポリウレタンＧが設けられている。発泡ポリウレタンＧの内部に１〜２組のカーボン面発熱体Ｈが敷設され、その上面を絶縁防水ビニールｂが覆う形で設けられる。更にその上面に５ｃｍ厚の山砂Ｓが敷設され、最後にその上面を絶縁防水ビニールｃが覆う形でもうけられる。冬季間は育苗床上面は小トンネルＰを覆い保温する。
次に本考案の図４の育苗装置は、組立式基礎Ｆの上部に断熱材挿入の組立式Ｕ字型育苗床Ｒが組み立てられる。組立式Ｕ字型育苗床Ｒの底面にカーボン面発熱体Ｈが１〜２組が敷設される。そのカーボン面発熱体Ｈの上面を絶縁防水ビニールｂで覆った後、５ｃｍ厚の山砂Ｓを敷込み、更にその上面を絶縁防水ビニールｃで覆う。組立式基礎Ｆの側面にＥの電源ＢＯＸと高電位発生装置Ｔとが具備され、それぞれカーボン面発熱体Ｈに通電して遠赤外線電磁波熱と負電荷による電位を暴露させ育種、育苗させる。最後に冬季間用に小トンネルビニールＰを具備して完了する。
【産業上の利用可能性】
【００１２】  本考案の受皿熟成装置はスイカ以外に小型用に改良すればメロンにも適応できる。
本考案の組立式育苗装置はカーボン面発熱体に通電させて遠赤外線電磁波熱または高電位発生装置から電圧を印加させ育種、育苗させる装置は、稲科植物の種子、トウモロコシの種子、スイカ、メロンの種子等に利用できる。
【図面の簡単な説明】
【００１３】
【図１】熟成装置の断面図である。
【図２】熟成装置の平面図である。
【図３】埋込式育苗装置の断面図である。
【図４】組立式育苗装置の断面図である。
【符号の説明】
【００１４】      Ａー１…スイカ受皿
Ａ…受皿中心部
ａ…先端固定部
ｂ…絶縁防水ビニール
ｃ…絶縁防水ビニール
Ｂ…支持脚
Ｃ…連結コード
Ｄ…発泡クッション材
Ｅ…電源ＢＯＸ
Ｆ…組立式基礎
Ｇ…発泡ポリウレタン
Ｈ…カーボン面発熱体
Ｐ…小トンネルビニール
Ｒ…組立式Ｕ字型育苗床
Ｓ…山砂
【図１】
0003120002.tif 000003
【図２】
0003120002.tif 000004
【図３】
0003120002.tif 000005
【図４】
0003120002.tif 000006